(57)【要約】【課題】  試し打ち作業の労力や作業工数を大幅に低減し、かつ質の高いデータ収集を行うとともに、装置の小型コンパクト化により、設置性，取扱性，低コスト性及び保管性を向上させる。【解決手段】  パチンコ玉Ｂ…を収容する玉収容部２と、この玉収容部２に収容したパチンコ玉Ｂ…を一個ずつ取り出す玉取出部３と、この玉取出部３により取り出したパチンコ玉Ｂを下位置Ｘｄから上位置Ｘｕまで移動させるリフタ部４と、このリフタ部４により上位置Ｘｕまで移動させたパチンコ玉Ｂをパチンコ台Ｍの上受皿部Ｍａに供給するノズル部５と、玉取出部３及びリフタ部４を駆動する駆動部６とを備え、パチンコホールにおける任意のパチンコ台Ｍの前方に設置可能に構成する。【選択図】  図１
2006175171.tif 000002
【特許請求の範囲】
【請求項１】
パチンコ台の試し打ちを行うパチンコ台用試打装置において、パチンコ玉を収容する玉収容部と、この玉収容部に収容したパチンコ玉を一個ずつ取り出す玉取出部と、この玉取出部により取り出したパチンコ玉を下位置から上位置まで移動させるリフタ部と、このリフタ部により前記上位置まで移動させたパチンコ玉をパチンコ台の上受皿部に供給するノズル部と、前記玉取出部及び前記リフタ部を駆動する駆動部とを備え、パチンコホールにおける任意のパチンコ台の前方に設置可能に構成したことを特徴とするパチンコ台用試打装置。
【請求項２】
異常を検出する一又は二以上のセンサ部と、このセンサ部の検出に基づいて作動する警報ランプ部及び／又は警報ブザー部を備えることを特徴とする請求項１記載のパチンコ台用試打装置。
【請求項３】
前記警報ランプ部は、前記リフタ部の上端に配設し、同一又は異なる発光色を有する一又は二以上の発光体を前記駆動部により回転させることを特徴とする請求項２記載のパチンコ台用試打装置。
【請求項４】
前記センサ部は、前記玉収容部の内部に付設し、この玉収容部に収容したパチンコ玉の数量が所定量を越えたことを検出する検出スイッチを備えることを特徴とする請求項２記載のパチンコ台用試打装置。
【請求項５】
前記センサ部は、前記ノズル部又はその近傍におけるパチンコ玉の通路に付設し、前記通路をパチンコ玉が通過したことを検出する検出スイッチを備えることを特徴とする請求項２記載のパチンコ台用試打装置。
【請求項６】
前記玉取出部は、一個のパチンコ玉を受取る受取孔部を回転方向に所定間隔おきに有し、かつ前記玉収容部の玉出口からパチンコ玉を受取るとともに、前記駆動部により回転する回転軸部を斜めに配した回転受取盤部と、この回転受取盤部の下面に対向して配し、前記受取孔部内のパチンコ玉を支持するとともに、所定の排出位置で前記受取孔部内のパチンコ玉を排出させる固定支持盤部と、前記排出位置で排出されたパチンコ玉を前記リフタ部の下位置に供給する玉ガイド部を備えることを特徴とする請求項１記載のパチンコ台用試打装置。
【請求項７】
前記リフタ部は、外周面に一又は二以上のガイド凹溝部を軸方向に有し、かつ前記駆動部により回転する回転柱部と、この回転柱部の外方を覆うように配した螺旋条部と、この螺旋条部の外方を覆うとともに、前記玉ガイド部から付与されたパチンコ玉を前記下位置における前記ガイド凹溝部内に収容する玉取入口及び前記回転柱部の回転により前記上位置まで移動したパチンコ玉を排出して前記ノズル部に供給する玉排出口を有する外筒部を備えることを特徴とする請求項１記載のパチンコ台用試打装置。
【請求項８】
前記リフタ部は、上方に起立する使用位置又はこの使用位置から傾倒させることにより前記玉収容部の内部に格納する非使用位置に選択的に変位可能に構成することを特徴とする請求項７記載のパチンコ台用試打装置。
【請求項９】
前記ノズル部は、先端を上下方向へ回動変位可能及び／又は前記リフタ部の周方向へ回動変位可能に構成することを特徴とする請求項１記載のパチンコ台用試打装置。
【請求項１０】
前記パチンコ台の発射レバーを所定位置に固定する固定部材及びこの固定部材を介して前記パチンコ台をアースに接続する接続コードを有するレバー固定具を備えることを特徴とする請求項１記載のパチンコ台用試打装置。
【発明の詳細な説明】
【技術分野】
【０００１】
本発明は、パチンコ店に設置したパチンコ台の試し打ちを行う際に用いて好適なパチンコ台用試打装置に関する。
【背景技術】
【０００２】
一般に、パチンコ店においてパチンコ台を新しく入替えた場合、新しいパチンコ台の出玉状態を確認する必要があることから事前に試し打ちを行っている。試し打ちは、概ね２時間程度連続して打ち続け、パチンコ台の大当たり回数或いは出玉状態等を中央管理コンピュータにより集計している。
【０００３】
ところで、このようなパチンコ台の試し打ちは、実際の営業中とほぼ同様の条件で行うため、人手に頼っているのが実情である。しかし、試し打ちを行うパチンコ台の数量は、通常、数十〜数百台以上にも及ぶため、人手に頼った場合には、大変な労力と作業工数が強いられる問題がある。
【０００４】
そこで、このような試し打ちの労力と作業工数の低減を目的とした装置も提案されている。例えば、特開平９−１７３５９６号公報では、下皿底面に透設した出玉取り出し孔を通過する出玉を検出するセンサーと、出玉が出る時間を計時し、基本クロック信号でＣＰＵの動作を制御する計時用発振器を有し、時間間隔から出玉の連続を判定する判定時間間隔と大当たりの判定を初期設定する手段を有する操作部を有するとともに、各部の制御とセンサーからの信号により試し打ち期間中の出玉の総出玉数の算出手段と、連続出玉数以上の出玉から大当たりを判定する手段及び大当たり状態毎の出玉数を算出する手段と、大当たり回数を算出する手段とを有するＣＰＵを設け、さらに、出玉の総出玉数と大当たり回数とを切換表示する表示部と、各部に電力を供給する携帯用電源を備える試し打ち用の出玉管理ユニットが開示されている。
【特許文献１】特開平９−１７３５９６号
【発明の開示】
【発明が解決しようとする課題】
【０００５】
しかし、上述した試し打ちを支援する従来の装置（出玉管理ユニット）は、次のような問題点があった。
【０００６】
第一に、従来の装置は、出玉の管理に留まるため、試し打ち作業自体を改善する観点からはさほど有効な効果を得れない。即ち、大当たり回数や出玉数等の出玉の管理は、中央管理コンピュータで行うことができるが、試し打ち作業自体は、人手による操作が必要となり、労力や作業工数の低減を十分に図ることができない。
【０００７】
第二に、パチンコ台を通常の状態により動作させる場合、常時、上受皿部にパチンコ玉を供給（補給）する必要があるが、この供給を自動で行うには、例えば、パチンコ台を設置するいわゆる島側から取り込む必要があり、結局、大掛かりな装置を準備しなければならないとともに、その取付けや取外しも大変になるなど、余計な作業の追加を招く。
【０００８】
本発明は、このような背景技術に存在する課題を解決したパチンコ台用試打装置の提供を目的とするものである。
【課題を解決するための手段】
【０００９】
本発明は、上述した課題を解決するため、パチンコ台Ｍの試し打ちを行うパチンコ台用試打装置１を構成するに際して、パチンコ玉Ｂ…を収容する玉収容部２と、この玉収容部２に収容したパチンコ玉Ｂ…を一個ずつ取り出す玉取出部３と、この玉取出部３により取り出したパチンコ玉Ｂを下位置Ｘｄから上位置Ｘｕまで移動させるリフタ部４と、このリフタ部４により上位置Ｘｕまで移動させたパチンコ玉Ｂをパチンコ台Ｍの上受皿部Ｍａに供給するノズル部５と、玉取出部３及びリフタ部４を駆動する駆動部６とを備え、パチンコホールにおける任意のパチンコ台Ｍの前方に設置可能に構成したことを特徴とする。
【００１０】
この場合、発明の好適な態様により、パチンコ台用試打装置１には、異常を検出する一又は二以上のセンサ部１１ａ，１１ｂと、このセンサ部１１ａ，１１ｂの検出に基づいて作動する警報ランプ部１２ｘ及び／又は警報ブザー部１２ｙを設けることができる。この際、警報ランプ部１２ｘは、リフタ部４の上端に配設し、同一又は異なる発光色を有する一又は二以上の発光体１２ｘｐ…を駆動部６により回転させることができる。また、センサ部１１ａとしては、玉収容部２の内部に付設し、この玉収容部２に収容したパチンコ玉Ｂ…の数量が所定量を越えたことを検出する検出スイッチ１１ａｓを用いることができるとともに、他のセンサ部１１ｂとしては、ノズル部５又はその近傍におけるパチンコ玉Ｂの通路Ｒに付設し、この通路Ｒをパチンコ玉Ｂが通過したことを検出する検出スイッチ１１ｂｓを用いることができる。一方、玉取出部３は、一個のパチンコ玉Ｂを受取る受取孔部１４…を回転方向に所定間隔おきに有し、かつ玉収容部２の玉出口２ｏからパチンコ玉Ｂを受取るとともに、駆動部６により回転する回転軸部１５を斜めに配した回転受取盤部１３と、この回転受取盤部１３の下面に対向して配し、受取孔部１４…内のパチンコ玉Ｂ…を支持するとともに、所定の排出位置Ｘｏで受取孔部１４…内のパチンコ玉Ｂ…を排出させる固定支持盤部１６と、排出位置Ｘｏで排出されたパチンコ玉Ｂをリフタ部４の下位置Ｘｄに供給する玉ガイド部１７を備えて構成できる。他方、リフタ部４は、外周面に一又は二以上のガイド凹溝部１８ｓ…を軸方向に有し、かつ駆動部６により回転する回転柱部１８と、この回転柱部１８の外方を覆うように配した螺旋条部１９と、この螺旋条部１９の外方を覆うとともに、玉ガイド部１７から付与されたパチンコ玉Ｂを下位置Ｘｄにおけるガイド凹溝部１８ｓ内に収容する玉取入口２０ｉ及び回転柱部１８の回転により上位置Ｘｕまで移動したパチンコ玉Ｂを排出してノズル部５に供給する玉排出口２０ｏを有する外筒部２０を備えて構成できる。また、リフタ部４は、上方に起立する使用位置Ｘｓ又はこの使用位置Ｘｓから傾倒させることにより玉収容部２の内部に格納する非使用位置Ｘｃに選択的に変位可能に構成できる。さらに、ノズル部５は、先端を上下方向へ回動変位可能及び／又はリフタ部４の周方向へ回動変位可能に構成できる。加えて、パチンコ台Ｍの発射レバーＭｓを所定位置に固定する固定部材２２及びこの固定部材２２を介してパチンコ台ＭをアースＧに接続する接続コード２３を有するレバー固定具２１を設けることができる。
【発明の効果】
【００１１】
このような構成を有する本発明に係るパチンコ台用試打装置１によれば、次のような顕著な効果を奏する。
【００１２】
（１）  パチンコ台Ｍの上受皿部Ｍａに自動でパチンコ玉Ｂ…を供給することができるため、人手に頼ることなく試し打ち作業を行うことができる。この結果、試し打ち作業の労力及び作業工数を大幅に低減できるとともに、パチンコ玉Ｂ…の供給状態が均一となることから質の高いデータ収集を行うことができる。
【００１３】
（２）  パチンコホールにおける任意のパチンコ台Ｍの前方のテーブルＴに載置可能になるため、試し打ちを行う際における装置の取付け（設置）及び取外しが容易となるとともに、装置の小型コンパクト化により、設置性，取扱性，低コスト性及び保管性を向上させることができる。
【００１４】
（３）  好適な態様により、異常を検出する一又は二以上のセンサ部１１ａ，１１ｂと、このセンサ部１１ａ，１１ｂの検出に基づいて作動する警報ランプ部１２ｘ及び／又は警報ブザー部１２ｙを設ければ、異常の発生に対して速やかに対処でき、異常が長く継続することに伴う不具合を回避することができる。
【００１５】
（４）  好適な態様により、警報ランプ部１２ｘを、リフタ部４の上端に配設し、同一又は異なる発光色を有する一又は二以上の発光体１２ｘｐ…を駆動部６により回転させるようにすれば、静的及び動的な視認性が高められ、異常の発生した試打装置１を遠方からでも速やかに確認することができる。
【００１６】
（５）  好適な態様により、センサ部１１ａとして、玉収容部２の内部に付設し、この玉収容部２に収容したパチンコ玉Ｂ…の数量が所定量を越えたことを検出する検出スイッチ１１ａｓを用いたり、或いは他のセンサ部１１ｂとして、ノズル部５又はその近傍におけるパチンコ玉Ｂの通路Ｒに付設し、この通路Ｒをパチンコ玉Ｂが通過したことを検出する検出スイッチ１１ｂｓを用いれば、大当たりの発生により大量のパチンコ玉Ｂ…が放出されても速やかに対処することができる。
【００１７】
（６）  好適な態様により、玉取出部３を、一個のパチンコ玉Ｂを受取る受取孔部１４…を回転方向に所定間隔おきに有し、かつ玉収容部２の玉出口２ｏからパチンコ玉Ｂを受取るとともに、駆動部６により回転する回転軸部１５を斜めに配した回転受取盤部１３と、この回転受取盤部１３の下面に対向して配し、受取孔部１４…内のパチンコ玉Ｂ…を支持するとともに、所定の排出位置Ｘｏで受取孔部１４…内のパチンコ玉Ｂ…を排出させる固定支持盤部１６と、排出位置Ｘｏで排出されたパチンコ玉Ｂをリフタ部４の下位置Ｘｄに付与する玉ガイド部１７を備えて構成すれば、玉収容部２内のパチンコ玉Ｂ…を一個ずつ確実に取り出し、後段のリフタ部４に供給することができる。
【００１８】
（７）  好適な態様により、リフタ部４を、外周面に一又は二以上のガイド凹溝部１８ｓ…を軸方向に有し、かつ駆動部６により回転する回転柱部１８と、この回転柱部１８の外方を覆うように配した螺旋条部１９と、この螺旋条部１９の外方を覆うとともに、玉ガイド部１７から付与されたパチンコ玉Ｂを下位置Ｘｄにおけるガイド凹溝部１８ｓ内に供給する玉取入口２０ｉ及び回転柱部１８の回転により上位置Ｘｕまで移動したパチンコ玉Ｂを排出してノズル部５に供給する玉排出口２０ｏを有する外筒部２０を備えて構成すれば、リフタ部４の小型化を図れるとともに、玉取出部３から供給されたパチンコ玉Ｂをリフタ部４の上位置Ｘｕに配したノズル部５まで確実に移動させることができる。
【００１９】
（８）  好適な態様により、リフタ部４を、上方に起立する使用位置Ｘｓ又はこの使用位置Ｘｓから傾倒させることにより玉収容部２の内部に格納する非使用位置Ｘｃに選択的に変位可能に構成すれば、非使用時には、リフタ部４を非使用位置Ｘｉとなる玉収容部２の内部に格納できるため、複数の試打装置１…を積み重ねて保管できるなど、保管性を高めることができる。
【００２０】
（９）  好適な態様により、ノズル部５の先端を上下方向へ回動変位可能及び／又はノズル部５をリフタ部４の周方向へ回動変位可能に構成すれば、ノズル部５の供給位置を上受皿部Ｍａの高さに適合するように柔軟に対応させることができるとともに、玉収容部２にリフタ部４を格納する際の収容性をより高めることができる。
【００２１】
（１０）  好適な態様により、パチンコ台Ｍの発射レバーＭｓを所定位置に固定する固定部材２２及びこの固定部材２２を介してパチンコ台ＭをアースＧに接続する接続コード２３を有するレバー固定具２１を設ければ、別途の手段を用いることなくパチンコ台Ｍにおけるパチンコ玉Ｂ…の打玉を継続させることができる。
【発明を実施するための最良の形態】
【００２２】
次に、本発明に係る最良の実施形態を挙げ、図面に基づき詳細に説明する。
【００２３】
まず、本実施形態に係るパチンコ台用試打装置１の構成について、図１〜図１０を参照して説明する。
【００２４】
同試打装置１は、図２に示すように、偏平な直方体状をなすハウジング３０を備え、このハウジング３０の長手方向一側寄りには、上面から窪んだ玉収容部２を設けるとともに、他側寄りには、パチンコ玉供給部５１を設ける。この場合、ハウジング３０は、長手方向両側の左右側面３０ｐ，３０ｑに一対の把手部３１…を有する。また、ハウジング３０の右側面３０ｑからは、図２に示すように、ＡＣ電源コード３２を導出するとともに、左側面３０ｐには、このＡＣ電源コード３２に対してハウジング３０の内部で接続するＡＣ電源アウトレット３３（図１０）を配設する。なお、ＡＣ電源コード３２は、ハウジング３０の内部に配したコードリール３２ｉ（図８）により巻取ることができる。
【００２５】
一方、玉収容部２は、パチンコ玉供給部５１側に位置する内壁面２ｗの下端に、玉出口２ｏを有し、玉収容部２の底面２ｄは、当該玉出口２ｏに向かって下方に傾斜させる。なお、３４は玉出口２ｏの上方を覆う保護カバーであり、玉出口２ｏに指等を誤って挿入する危険を防止している。また、玉出口２ｏに隣接する底面２ｄには、玉放出口３５を設け、この玉放出口３５には開閉シャッタ３６を付設する。これにより、ハウジング３０の前面３０ｆに設けた操作レバー３７を左右方向へ移動させれば、これに追従する開閉シャッタ３６により玉放出口３５を開閉することができる。さらに、ハウジング３０の前面３０ｆには、警報ブザー部１２ｙを配設する。
【００２６】
また、２１はレバー固定具であり、玉収容部２の内部から導出した接続コード２３と、この接続コード２３の先端に取付けた固定部材２２を備える。接続コード２３は、伸縮式の蛇腹コードが望ましく、接続コード２３の後端は、試打装置１側のアースＧ（図１０）に接続する。したがって、ハウジング３０をステンレス材等の導電性金属材で形成した場合には、ハウジング３０をアースに接続するとともに、接続コード２３の後端をハウジング３０に接続すればよい。一方、固定部材２２は、導電性の板バネ材をＶ形に折曲して形成できる。これにより、固定部材２２をパチンコ台Ｍにおける発射レバーＭｓと発射ツマミＭｔの間に差し込めば、発射レバーＭｓを所定位置に固定できるとともに、固定部材２２は接続コード２３を介して試打装置１側のアースＧに接続されるため、別途の手段を用いることなくパチンコ台Ｍにおけるパチンコ玉（遊技球）Ｂ…の打玉を継続させることができる。
【００２７】
さらに、玉収容部２の後側における内壁面２ｒには、玉収容部２に収容されるパチンコ玉Ｂ…の数量が所定量を越えたことを検出するセンサ部１１ａを配設する。センサ部１１ａは、図７に示すように、玉収容部２の所定高さに位置する内壁面２ｒに形成した開口部３９に、この開口部３９を塞ぐ形状の検出プレート４０ｄを有する可動部材４０を配して構成する。この場合、可動部材４０の下端は、ハウジング３０の内面に設けた回動軸部４１を介して回動自在に支持される。また、検出プレート４０ｄの上端には、内壁面２ｒの裏面に係止する係止片部４０ｄｓを一体に形成するとともに、可動部材４０は、スプリング４２により玉収容部２側に付勢される。そして、可動部材４０には、リミットスイッチ等を用いた検出スイッチ１１ａｓを取付ける。
【００２８】
これにより、検出プレート４０ｄに押圧力が付与されない自然状態の場合には、図７に実線で示すように、スプリング４２により付勢された検出プレート４０ｄが内壁面２ｒと同一面上に位置して開口部３９を塞ぐため、検出スイッチ１１ａｓは、ハウジング３０の後面３０の内面から離間してＯＦＦになる。これに対して、玉収容部２に収容したパチンコ玉Ｂ…の数量が所定量を越え、パチンコ玉Ｂ…により検出プレート４０ｄに押圧力が付与された場合には、図７に仮想線で示すように、検出プレート４０ｄが回動軸部４１を支点に回動変位して外方向に傾倒するため、検出スイッチ１１ａｓは、ハウジング３０の後面３０の内面に当接してＯＮになる。
【００２９】
他方、パチンコ玉供給部５１におけるハウジング３０の上面には、押ボタン式の電源スイッチ５２を配設する。電源スイッチ５２は電源ランプ５２Ｌを内蔵し、電源スイッチ５２を押してＯＮにすれば、電源ランプ５２Ｌが点灯し、電源スイッチ５２を再度押してＯＦＦにすれば、電源ランプ５２Ｌが消灯する。
【００３０】
パチンコ玉供給部５１には、玉取出部３，リフタ部４，ノズル部５及び駆動部６を配設する。玉取出部３は、図３及び図４に示すように、一個のパチンコ玉Ｂを受取る受取孔部１４…を回転方向に所定間隔おきに六つ形成した回転受取盤部１３を備え、この回転受取盤部１３の中心は、玉収容部２の内壁面２ｗの裏面に固定した支持板５３の回転軸部１５により回動自在に支持される。この場合、回転軸部１５は斜め（４５〔°〕）に配する。これにより、回転受取盤部１３における最も下方に位置する受取孔部１４は、玉収容部２における玉出口２ｏに臨み、この玉出口２ｏからパチンコ玉Ｂを受取ることができる。また、回転受取盤部１３の下方には、受取孔部１４…内のパチンコ玉Ｂ…を支持し、かつ所定の排出位置Ｘｏで受取孔部１４内のパチンコ玉Ｂを排出させる固定支持盤部１６を備える。固定支持盤部１６は円盤状に形成し、回転受取盤部１３の下面に対して所定間隔を空けて配することにより、受取孔部１４…に入ったパチンコ玉Ｂ…を支持することができる。一方、回転受取盤部１３の上部所定位置における受取孔部１４に対向する固定支持盤部１６の所定位置には、排出用切欠部５４を形成する。これにより、排出用切欠部５４に任意の受取孔部１４が到達すれば、パチンコ玉Ｂは排出切欠部５４を通して下方に落下する。さらに、排出用切欠部５４の下方には、玉ガイド部１７を配設する。玉ガイド部１７は、排出用切欠部５４と後述するリフタ部４間に配設し、図３に示すように、リフタ部４側が下方に位置するように傾斜させて配する。これにより、排出位置Ｘｏで排出されたパチンコ玉Ｂは、玉ガイド部１７の上面に落下し、玉ガイド部１７を転がってリフタ部４の下位置Ｘｄに供給される。玉取出部３をこのように構成することにより、玉収容部２内のパチンコ玉Ｂ…を一個ずつ確実に取り出し、後段のリフタ部４に供給できる。
【００３１】
他方、６は駆動部であり、駆動モータ５６と減速ギアユニット５７を備える。上述した回転軸部１５は、この駆動部６により回転する。この場合、回転軸部１５は、傾斜しているため、固定支持盤部１６を貫通した回転軸部１５の先端に、被動側のハスバギア５８を設ける。また、減速ギアユニット５７からは、回転出力軸５９が突出し、この回転出力軸５９の先端に設けた駆動側のハスバギア６０がハスバギア５８に噛合する。
【００３２】
一方、リフタ部４は、図４〜図６に示すように、外周面に一又は二以上のガイド凹溝部１８ｓ…を軸方向に有し、かつ駆動部６により回転する回転柱部１８と、この回転柱部１８の外方を覆うように配した螺旋条部１９と、この螺旋条部１９の外方を覆うとともに、玉ガイド部１７から付与されたパチンコ玉Ｂを下位置Ｘｄにおけるガイド凹溝部１８ｓ内に供給する玉取入口２０ｉ及び回転柱部１８の回転により上位置Ｘｕまで移動したパチンコ玉Ｂを排出してノズル部５に供給する玉排出口２０ｏを有する外筒部２０を備える。
【００３３】
この場合、外筒部２０は、両端開口の円筒体であり、この両端開口を軸受キャップ６２，６３によりそれぞれ閉塞する。そして、各軸受キャップ６２，６３の中心に設けた軸受部により回転柱部１８におけるシャフト６４の両端を回動自在に支持する。なお、上側の軸受キャップ６３は、外筒部２０に対して回動可能に取付けるとともに、下側の軸受キャップ６２は、内面により螺旋条部１９の下端を固定する。また、下位置Ｘｄにおける外筒部２０に設けた玉取入口２０ｉは、図４に示すように、玉ガイド部１７の先端に対向させる。さらに、玉排出口２０ｏに隣接する外筒部２０の内面には、図６に示すように、パチンコ玉Ｂの移動を規制する玉ストッパ６５を固定する。リフタ部４をこのように構成することにより、リフタ部４の小型化を図れるとともに、玉取出部３から供給されたパチンコ玉Ｂをリフタ部４の上位置Ｘｕに配したノズル部５まで確実に移動可能となる。
【００３４】
他方、外筒部２０の下端には外周面を挟むコの字形の被係合部材６６を固定し、この被係合部材６６を構成する一対の対峙片の外面には上下一対の被係合ピン６７ａ…，６７ｂ…をそれぞれ突出させて設ける。また、ハウジング３０に固定した一対の係合部材６８…を設け、各係合部材６８…は、上方に起立させるとともに、被係合部材６６における一対の対峙片の外側に位置させる。そして、各係合部材６８…には、一対のガイドスリット６９ａ…，６９ｂ…を形成するとともに、このガイドスリット６９ａ…，６９ｂ…に、上述した被係合ピン６７ａ…，６７ｂ…をそれぞれ係合させる。この場合、図９に示すように、下側のガイドスリット６９ｂは、上下方向に長い長孔として形成し、被係合ピン６７ｂに対して上下変位と回動変位を許容するとともに、上側のガイドスリット６９ａは、上下方向に長い長孔を形成し、さらにこの長孔の上端から１／４円弧孔を形成し、被係合ピン６７ａに対して上下変位と１／４円弧孔に沿った旋回変位を許容する。これにより、リフタ部４は、図９に示すように、上方に起立する使用位置Ｘｓ又はこの使用位置Ｘｓから傾倒させることにより玉収容部２の内部に格納する非使用位置Ｘｉに選択的に変位させることができる。このため、図２に示すように、リフタ部４を傾倒させる際には、ハウジング３０の一部が追従して逃げるように、ハウジング３０の一部を可動式のカバー３０ｃとして構成する。この場合、カバー３０ｃは、図８に示すように、下端を支点に回動変位するとともに、スプリングにより起立する方向に付勢される。
【００３５】
また、軸受キャップ６２から下方に突出するシャフト６４の下端面には、角形に形成した係止凸部６４ｃを設ける。また、減速ギアユニット５７からは、回転出力軸７３が突出し、この回転出力軸７３の先端面には、係止凸部６４ｃに係止する角形に形成した係止凹部７３ｃを設ける。この場合、回転出力軸７３は、リフタ部４を使用位置Ｘｓに起立させた際に、シャフト６４に対して同軸上に位置するように設定する。これにより、係止凸部６４ｃと係止凹部７３ｃは、クラッチ機構７２を構成し、リフタ部４を使用位置Ｘｓに起立させた際には、係止凸部６４ｃと係止凹部７３ｃが嵌合して接続状態となり、回転出力軸７３の回転がシャフト６４に伝達されるとともに、リフタ部４を非使用位置Ｘｉに傾倒させた際には、係止凸部６４ｃが係止凹部７３ｃから離脱する非接続状態となり、シャフト６４に対する回転出力軸７３の回転伝達が解除される。
【００３６】
一方、リフタ部４の上端には図５に示すように、警報ランプ部１２ｘを配設する。警報ランプ部１２ｘは、軸受キャップ６３から上方に突出するシャフト６４の上端に取付けた複数の異色（赤色，緑色，青色等）又は同一色の発光ダイオード（発光体）１２ｘｐ…を備える。例示の場合、四つの発光ダイオード１２ｘｐ…を使用し、シャフト６４の周りに等間隔で配するとともに、青色と緑色を交互に配した。発光ダイオード１２ｘｐ…に対する給電は、フレキシブルなシートケーブルを利用し、外筒部２０の内面に沿わせてリフタ部４の下側から上側に配線するとともに、軸受キャップ６３に取付けた導電ブラシに接続し、この導電ブラシをシャフト６４に取付けた導電板に接触させることにより行う。そして、この導電板に警報ランプ部１２ｘを接続する。また、発光ダイオード１２ｘｐ…の周りは、例えば、半透明となる乳白色のカバー７６で覆うことにより外観性を考慮する。これにより、シャフト６４が駆動部６により回転すれば、発光ダイオード１２ｘｐ…も回転するため、静的（最も高い位置）及び動的（回転動作）な視認性が高められ、異常の発生した試打装置１を遠方からでも速やかに確認することができる。
【００３７】
さらに、リフタ部４の上部には、ノズル部５を付設する。この場合、軸受キャップ６３の外周面にノズル支持部７８を固定し、このノズル支持部７８の下端に、ノズル部５の後端を回動自在に支持する。ノズル部５は角パイプにより形成し、下面には、クッションシート（保護材）５ｍを貼付ける。これにより、ノズル部５は、先端が上下方向に回動変位可能になるとともに、リフタ部４の周方向に回動変位可能になるとともに、クッションシート５ｍにより、パチンコ台Ｍが傷付く不具合を回避できる。また、ノズル部５はリフタ部４の周方向に回動変位させた際に、ノズル部５の後端開口が玉排出口２０ｏの真下となる位置でクリック停止するようにクリック機構を設けるとともに、ノズル部５がリフタ部４の周方向及び上方へ必要以上に回動変位しないように不図示のストッパを設ける。図８は、ノズル部５を回動変位させた状態を示しており、符号５ｓは、玉排出口２０ｏの真下となる位置でクリック停止し、かつ上方へ回動変位した状態を示すとともに、符号５ｃは、符号５ｓの状態に対して、リフタ部４の周方向へ回動変位させた際にストッパにより停止し、かつ下方へ回動変位した状態を示している。
【００３８】
一方、ノズル部５の近傍（又はノズル部５）におけるパチンコ玉Ｂの通路Ｒには、センサ部１１ｂを付設する。センサ部１１ｂは、図５に示すように、通路Ｒをパチンコ玉Ｂが通過したことを検出するリミットスイッチ等の検出スイッチ１１ｂｓを、当該通路Ｒに臨ませて構成する。これにより、通路Ｒをパチンコ玉Ｂが通過すれば、検出スイッチ１１ｂｓのスイッチノブが変位してパチンコ玉Ｂが通過したことを検出できる。
【００３９】
他方、図１０には、試打装置１における電気系のブロック系統図を示す。なお、図１０中、図１〜図９と同一部分には同一符号を付してその構成を明確にした。図１０において、８１は、制御部であり、入力信号に応じた出力信号を出力して必要なシーケンス制御を行う機能を備えるとともに、ＡＣ電源をＤＣ電源に変換する電源機能、更には駆動モータ５６の回転数を制御してパチンコ玉Ｂ…の供給間隔を変更する制御機能等を備えている。また、８２は、駆動モータ５６に流れる過電流を検出する過電流検出部であり、前述した玉出口２ｏに指を誤って挿入して回転受取盤部１３が停止したり、異物が挟まって駆動モータ５６が停止した際に、過電流を検出し、制御部８１により駆動モータ５６を直ちに停止させる保護回路（安全回路）として機能する。
【００４０】
さらに、制御部８１は、検出スイッチ１１ａｓ，１１ｂｓの検出結果に基づいて警報ランプ部１２ｘ及び警報ブザー部１２ｙを作動（点灯及び音発生）させる制御を行う。この場合、検出スイッチ１１ａｓがＯＮした場合には、直ちに警報ランプ部１２ｘ及び警報ブザー部１２ｙを作動させる。なお、検出スイッチ１１ａｓがＯＮしたなら、制御部８１に内蔵するタイマにより計時し、設定時間内に検出スイッチ１１ａｓがＯＦＦしない場合に、は、警報ブザー部１２ｙの音発生態様を変化させたり、必要により駆動モータ５６を停止制御することができる。また、検出スイッチ１１ｂｓのＯＮによりパチンコ玉Ｂが通過したことを検出できるため、検出スイッチ１１ｂｓがＯＮした後、設定時間を経過しても検出スイッチ１１ｂｓがＯＮしない場合や検出スイッチ１１ｂｓのＯＮ状態が設定時間以上継続する場合には、ノズル部５から正常にパチンコ玉Ｂが供給されていないため、玉詰まり（過供給）が発生したものとして、警報ランプ部１２ｘ及び警報ブザー部１２ｙを作動させる。
【００４１】
次に、このような構成を有するパチンコ台用試打装置１の使用方法及び動作について、図１〜図１０を参照して説明する。
【００４２】
まず、試打装置１を使用しないときは、図８に示すように、ノズル部５を符号５ｓの位置から符号５ｃの位置までリフタ部４の周方向（矢印Ｆｆ方向）へ回動変位させる。また、図９に示すように、リフタ部４を起立した使用位置Ｘｓから玉収容部２の内部に格納する非使用位置Ｘｉに傾倒させる。この場合、起立したリフタ部４を、一旦、図９に符号Ｘｓｕで示す位置まで持ち上げ、この後、矢印Ｆｒ方向へ傾倒させる操作を行う。この際、被係合ピン６７ａ…，６７ｂ…がガイドスリット６９ａ…，６９ｂ…に沿ってガイドされ、突出したリフタ部４を完全に玉収容部２の内部に格納することができる。したがって、複数の試打装置１…を積み重ねて保管できるなど、保管性を高めることができる。また、これにより、係止凹部７３ｃに対して係止凸部６４ｃが外れ、クラッチ機構７２における接続が解除された状態となるため、万が一、電源スイッチ５２がＯＮになり駆動モータ５６が回転したとしてもリフタ部４に回転伝達されることはない。
【００４３】
他方、試打装置１を使用するときは、上述した非使用時と反対の手順で行えばよい。即ち、リフタ部４を使用位置Ｘｓに起立した状態にセットするとともに、ノズル部５（ノズル支持部７８）をリフタ部４の周方向へ回動変位させてクリック停止させる。これにより、ノズル部５の後端開口は、リフタ部４の玉排出口２０ｏの真下に位置させることができるとともに、係止凹部７３ｃと係止凸部６４ｃが嵌合（係止）し、クラッチ機構７２は接続状態となる。
【００４４】
また、試打装置１は、図１に示すように、パチンコホールにおける任意のパチンコ台Ｍの前方のテーブルＴに載置する。この際、ノズル部５は上受皿部Ｍａの縁部に載置し、ノズル部５の先端開口を上受皿部Ｍａの内側に臨ませる。一方、下受皿部Ｍｂの排出用ツマミＭｂｓを開放状態に固定する。そして、玉収容部２には所定量のパチンコ玉Ｂ…を収容する。この際、検出プレート４０ｄに当たらない高さまで収容する。
【００４５】
さらに、ＡＣ電源コード３２のプラグは、ＡＣ電源コンセントに接続する。この場合、ＡＣ電源コンセントは、通常、いわゆる島の中に設けられているため、このＡＣ電源コンセントを利用できる。この際、一台の試打装置１をＡＣ電源コンセントに接続すれば、他の所定数の試打装置１…は、ＡＣ電源コンセントに接続した試打装置１のＡＣ電源アウトレット３３に接続することができる。また、レバー固定具２１の固定部材２２は、パチンコ台Ｍにおける発射レバーＭｓと発射ツマミＭｔの間に差し込んで発射レバーＭｓを所定位置に固定する。これにより、固定部材２２は接続コード２３を介してアースＧに接続され、別途の手段を用いることなくパチンコ台Ｍにおけるパチンコ玉Ｂ…の打玉を継続させることができる。以上により、試打装置１のセッティングが終了する。
【００４６】
次いで、電源スイッチ５２をＯＮにする。これにより、電源ランプ５２Ｌが点灯し、駆動モータ５６が回転する。駆動モータ５６の回転は、減速ギアユニット５７に回転伝達され、回転出力軸５９及び回転出力軸７３は、それぞれ予め設定された所定回転数により回転する。この結果、回転出力軸７３からシャフト６４に回転伝達され、回転柱部１８が回転するとともに、回転出力軸５９からハスバギア６０，５８を介して回転軸部１５に回転伝達され、回転受取盤部１３が回転する。回転受取盤部１３は、回転する際に、玉収容部２の玉出口２ｏに臨む受取孔部１４に一個のパチンコ玉Ｂが入り込み、かつ固定支持盤部１６により支持されるため、各受取孔部１４…に入ったパチンコ玉Ｂ…は、回転受取盤部１３の回転に従って回転方向に順次移動する。そして、パチンコ玉Ｂが排出位置Ｘｏまで移動したなら固定支持盤部１６の排出用切欠部５４から玉ガイド部１７の上面に落下する。玉ガイド部１７上のパチンコ玉Ｂは、傾斜した玉ガイド部１７に沿って転がり、リフタ部４の下位置Ｘｄにおける外筒部２０（リフタ部４）に設けた玉取入口２０ｉに至るとともに、この玉取入口２０ｉから外筒部２０の内部に進入する。
【００４７】
一方、リフタ部４の回転柱部１８が回転しているため、外筒部２０の内部に進入したパチンコ玉Ｂは、任意のガイド凹溝部１８ｓがパチンコ玉Ｂに到達した際に、当該ガイド凹溝部１８ｓ内に収容される。ガイド凹溝部１８ｓは、回転柱部１８の軸方向に形成されているため、回転柱部１８の回転によりパチンコ玉Ｂは、周方向に移動しつつ螺旋条部１９に沿って上方に移動する。そして、パチンコ玉Ｂが玉排出口２０ｏに至れば、玉排出口２０ｏから外筒部２０の外部に排出され、ノズル部５の後端開口に落下する。これにより、パチンコ玉Ｂは、ノズル部５に沿って転がり、先端開口からパチンコ台Ｍの上受皿部Ｍａに供給される。この場合、大当たりが発生しなければ、パチンコ台Ｍからの出玉は無いため、玉収容部２にパチンコ玉Ｂ…が順次減少するが、この場合であっても４０分間程度連続打玉できるように玉収容部２の容積を設定することが望ましい。なお、試打装置１から供給されるパチンコ玉Ｂ…の供給間隔は、パチンコ台Ｍの打玉間隔に一致させることが望ましく、必要により供給間隔は、制御部８１による駆動モータ５６の回転数制御により変更（調整）することができる。
【００４８】
他方、パチンコ台Ｍの試し打ち途中で大当たりが発生した場合には、大量の出玉が生じる。この際、上受皿部Ｍａが満杯になった場合には、ノズル部５からパチンコ玉Ｂが正常に供給されなくなる。この結果、検出スイッチ１１ｂｓがＯＮした後、設定時間を経過しても検出スイッチ１１ｂｓがＯＮしなくなったり或いは検出スイッチ１１ｂｓのＯＮ状態が設定時間以上継続することになるため、制御部８１は、玉詰まり（過供給）が発生したものとして、警報ランプ部１２ｘ及び警報ブザー部１２ｙを作動させる。これにより、作業者は排出用ツマミＭａｓを操作し、上受皿部Ｍａからパチンコ玉Ｂ…を排出して下受皿部Ｍｂに移すことができる。
【００４９】
一方、上受皿部Ｍａが満杯になった以降の出玉は、下受皿部Ｍｂに排出されるため、開放状態にある下受皿部Ｍｂから玉収容部２にパチンコ玉Ｂ…が排出され、玉収容部２にパチンコ玉Ｂ…が蓄積される。これにより、玉収容部２に収容したパチンコ玉Ｂ…の数量が所定量を越え、パチンコ玉Ｂ…により検出プレート４０ｄに押圧力が付与された場合には、検出プレート４０ｄが回動軸部４１を支点に回動変位して外方向に傾倒し、検出スイッチ１１ａｓ（センサ部１１ａ）がハウジング３０の後面３０の内面に当接してＯＮになるため、警報ランプ部１２ｘ及び警報ブザー部１２ｙが作動する。この場合、作業者は、試打装置１における操作レバー３７を操作し、開閉シャッタ３６を開側に移動させることにより玉放出口３５からパチンコ玉Ｂ…を放出するなど、必要な処置を講じることができる。このように、大当たりの発生により大量のパチンコ玉Ｂ…が放出されても速やかに対処することができ、異常が長く継続することに伴う不具合を回避できる。
【００５０】
よって、このような本実施形態に係るパチンコ台用試打装置１によれば、パチンコ台Ｍの上受皿部Ｍａに自動でパチンコ玉Ｂ…を供給することができるため、人手に頼ることなく試し打ち作業を行うことができる。この結果、試し打ち作業の労力及び作業工数を大幅に低減できるとともに、パチンコ玉Ｂ…の供給状態が均一となることから質の高いデータ収集を行うことができる。また、パチンコホールにおける任意のパチンコ台Ｍの前方のテーブルＴに載置可能となるため、試し打ちを行う際における装置の取付け（設置）及び取外しが容易となるとともに、装置の小型コンパクト化により、設置性，取扱性，低コスト性及び保管性を向上させることができる。
【００５１】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５２】
例えば、センサ部１１ａ，１１ｂの検出により作動する警報ランプ部１２ｘ及び警報ブザー部１２ｙを設けた場合を示したが、警報ランプ部１２ｘ又は警報ブザー部１２ｙのいずれか一方のみを設ける場合を排除するものではない。また、センサ部１１ａ，１１ｂを例示したが、必要により異常を検出する他のセンサ部を追加することができる。なお、必要によりセンサ部１１ａの検出があったなら操作レバー３７（開閉シャッタ３６）を自動で駆動し、パチンコ玉Ｂ…を玉収容部２から排出するようにしてもよい。一方、玉取出部３及びリフタ部４の構成は、例示に限らず、例えば、カップに取込んだパチンコ玉Ｂをベルトコンベア式に移動させる構成など、同一機能を有する他の構成を排除するものではない。さらに、リフタ部４を、使用位置Ｘｓ又は非使用位置Ｘｃに選択的に変位可能に構成するとともに、ノズル部５を上下方向及びリフタ部４の周方向へ回動変位可能に構成する場合を例示したが、これらの構成は必須となるものではない。また、レバー固定具２１も必須ではなく、必要により着脱可能に構成し、オプションで設けることもできる。
【図面の簡単な説明】
【００５３】
【図１】本発明の最良の実施形態に係る試打装置をパチンコ台にセッティングした状態を示す斜視図、
【図２】同試打装置の外観を示す斜視図、
【図３】同試打装置に備える玉取出部及び駆動部を側面方向から見た構成図、
【図４】同試打装置に備える玉取出部を正面方向及び斜上方向から見た構成を含む複合説明図、
【図５】同試打装置に備えるリフタ部を正面方向から見た一部断面構成図、
【図６】同試打装置に備えるノズル部の断面を含むリフタ部を平面方向から見た断面構成図、
【図７】同試打装置に備えるセンサ部の一部断面を含む側面構成図、
【図８】同試打装置を平面方向から見た機能説明図、
【図９】同試打装置を正面方向から見た機能説明図、
【図１０】同試打装置の電気系のブロック系統図、
【符号の説明】
【００５４】
１      パチンコ台用試打装置
２      玉収容部
２ｏ    玉収容部の玉出口
３      玉取出部
４      リフタ部
５      ノズル部
６      駆動部
１１ａ    センサ部
１１ａｓ  検出スイッチ
１１ｂ    センサ部
１１ｂｓ  検出スイッチ
１２ｘ  警報ランプ部
１２ｙ  警報ブザー部
１３    回転受取盤部
１４…  受取孔部
１５    回転軸部
１６    固定支持盤部
１７    玉ガイド部
１８    回転柱部
１８ｓ…  ガイド凹溝部
１９    螺旋条部
２０    外筒部
２０ｉ  玉取入口
２０ｏ  玉排出口
２１    レバー固定具
２２    固定部材
２３    接続コード
Ｍ      パチンコ台
Ｍａ    上受皿部
Ｍｓ    発射レバー
Ｘｓ    使用位置
Ｘｃ    非使用位置
Ｘｄ    下位置
Ｘｕ    上位置
Ｘｏ    排出位置
Ｇ      アース
Ｂ…    パチンコ玉
Ｒ      通路
【図１】
2006175171.tif 000003
【図２】
2006175171.tif 000004
【図３】
2006175171.tif 000005
【図４】
2006175171.tif 000006
【図５】
2006175171.tif 000007
【図６】
2006175171.tif 000008
【図７】
2006175171.tif 000009
【図８】
2006175171.tif 000010
【図９】
2006175171.tif 000011
【図１０】
2006175171.tif 000012